(57)【要約】【課題】  従来、第２の正本文書を作成することができず、また、悪意の第三者により作成された第２の文書から複製文書を作成することを阻止することができなかった。【解決手段】  本発明に係る正本文書複製装置では、判断部が、複製が許可されていると判断するとき、印刷部は、正本文書から読み取った第１画像、及び、正本文書の記憶部材から読み出した第２画像のデータにより規定される第２画像を紙媒体に印刷し、判断部が、複製が禁止されていると判断するとき、印刷部は、正本文書から読み取った第１画像及び第２の画像を印刷する。【選択図】  図１
2006165617.tif 000002
【特許請求の範囲】
【請求項１】
第１画像であって、当該第１画像の複製の前後で内容が視覚的に同一である前記第１画像と、
第２画像であって、当該第２画像の複製前後に亘り視認不可能から視認可能に変わることにより前記複製の後に当該複製の存在を示す前記第２画像と、
前記第２画像のデータとを記憶する記憶部材とを含むことを特徴とする正本文書。
【請求項２】
第１画像であって、当該第１画像の複製の前後で内容が視覚的に同一である前記第１画像と、
第２画像のデータであって、当該第２画像の複製前後に亘り視認不可能から視認可能に変わることにより前記複製の後に当該複製の存在を示す前記第２画像のデータと、前記複製の存在を示す第３画像のデータとを記憶する記憶部材とを含むことを特徴とする正本文書。
【請求項３】
前記記憶部材は、更に、前記第１画像の複製に関連する複数の事物の各々毎に前記第１画像の複製の許可又は禁止を規定する許否情報を記憶することを特徴とする請求項１記載の正本文書。
【請求項４】
前記記憶部材は、更に、前記第１画像の複製に関連する複数の事物の各々毎に前記第１画像の複製の許可又は禁止を規定する許否情報を記憶することを特徴とする請求項２記載の正本文書。
【請求項５】
前記記憶部材は、前記第１画像及び前記第２画像の少なくとも一方の位置を規定する位置情報を更に記憶することを特徴とする請求項１、２記載の正本文書。
【請求項６】
請求項１記載の正本文書のデータを編集するための正本文書編集装置であって、
前記第１画像のデータを編集するための第１画像データ編集部と、
前記第２画像のデータを編集するための第２画像データ編集部と、
前記第１画像のデータ、及び前記第２画像のデータから、前記正本文書のデータを作成するための正本文書データ作成部とを含むことを特徴とする正本文書編集装置。
【請求項７】
請求項２記載の正本文書のデータを編集するための正本文書編集装置であって、
前記第１画像のデータを編集するための第１画像データ編集部と、
前記第２画像のデータを編集するための第２画像データ編集部と、
前記第３画像のデータを編集するための第３画像データ編集部と、
前記第１画像のデータ、前記第２画像のデータ、及び前記第３画像のデータから、前記正本文書のデータを作成するための正本文書データ作成部とを含むことを特徴とする正本文書編集装置。
【請求項８】
前記第１画像の複製に関連する複数の事物の各々毎に前記第１画像の複製の許可又は禁止を規定する許否情報を編集するための許否情報編集部を更に含み、
前記正本文書データ作成部は、前記許否情報を用いて前記正本文書のデータを作成することを特徴とする請求項６、７記載の正本文書編集装置。
【請求項９】
請求項６記載の正本文書編集装置により作成された前記正本文書のデータに基き、請求項１記載の正本文書を印刷する正本文書作成装置であって、
紙媒体に、前記第１画像のデータにより規定される前記第１画像、及び、前記第２画像のデータにより規定される前記第２画像を印刷する画像印刷部と、
前記紙媒体に、記憶部材を印刷する記憶部材印刷部と、
前記記憶部材に、前記第２画像のデータを書き込む書込部とを含むことを特徴とする正本文書作成装置。
【請求項１０】
請求項７記載の正本文書編集装置により作成された前記正本文書のデータに基き、請求項１記載の正本文書を作成する正本文書作成装置であって、
紙媒体に、前記第１画像のデータにより規定される前記第１画像を印刷する画像印刷部と、
前記紙媒体に、記憶部材を印刷する記憶部材印刷部と、
前記記憶部材に、前記第２画像のデータ、及び前記第３画像のデータを書き込む書込部とを含むことを特徴とする正本文書作成装置。
【請求項１１】
前記書込部は、前記記憶部材に、更に、前記第１画像の複製に関連する複数の事物の各々毎に前記第１画像の複製の許可又は禁止を規定する許否情報を書き込むことを特徴とする請求項９、１０記載の正本文書作成装置。
【請求項１２】
請求項１記載の正本文書の複製を規制する正本文書複製装置であって、
前記記憶部材の有無により、当該正本文書の複製が許可されているか禁止されているかを判断する判断部と、
前記判断部が、前記正本文書の複製が許可されていると判断するとき、前記正本文書から読み取った当該第１画像、及び、前記正本文書の前記記憶部材から読み出した前記第２画像のデータにより規定される当該第２画像を紙媒体に印刷し、前記判断部が、前記正本文書の複製が禁止されていると判断するとき、前記正本文書から読み取った前記第１画像及び前記第２の画像を印刷する印刷部とを含むことを特徴とする正本文書複製装置。
【請求項１３】
請求項２記載の正本文書の複製を規制する正本文書複製装置であって、
前記記憶部材の有無により、当該正本文書の複製が許可されているか禁止されているかを判断する判断部と、
前記判断部が、前記正本文書の複製が許可されていると判断するとき、前記正本文書から読み取った当該第１画像、及び、前記正本文書の前記記憶部材から読み出した前記第２画像のデータにより規定される当該第２画像を紙媒体に印刷し、前記判断部が、前記正本文書の複製が禁止されていると判断するとき、前記正本文書から読み取った前記第１画像、及び、前記正本文書の前記記憶部材から読み出した前記第３画像のデータにより規定される当該第３画像を紙媒体に印刷する印刷部とを含むことを特徴とする正本文書複製装置。
【請求項１４】
請求項３記載の正本文書の前記記憶部材に記憶された前記許否情報を参照して、第１の事物による前記正本文書の複製を規制する正本文書複製装置であって、
当該正本文書複製装置による複製に関連する第２の事物が、前記第１の事物に一致するか否かを判断する判断部と、
前記判断部が、前記第２の事物と前記第１の事物とが一致すると判断するとき、前記正本文書から読み取った当該第１画像、及び、前記正本文書の前記記憶部材から読み出した前記第２画像のデータにより規定される当該第２画像を紙媒体に印刷し、前記判断部が、前記第２の事物と前記第１の事物とが一致しないと判断するとき、前記正本文書から読み取った前記第１画像及び前記第２の画像を印刷する印刷部とを含むことを特徴とする正本文書複製装置。
【請求項１５】
請求項４記載の正本文書の前記記憶部材に記憶された前記許否情報を参照して、第１の事物による前記正本文書の複製を規制する正本文書複製装置であって、
当該正本文書複製装置による複製に関連する第２の事物が、前記第１の事物に一致するか否かを判断する判断部と、
前記判断部が、前記第２の事物と前記第１の事物とが一致すると判断するとき、前記正本文書から読み取った当該第１画像、及び、前記正本文書の前記記憶部材から読み出した前記第２画像のデータにより規定される当該第２画像を紙媒体に印刷し、前記判断部が、前記第２の事物と前記第１の事物とが一致しないと判断するとき、前記正本文書から読み取った前記第１画像、及び、前記正本文書の前記記憶部材から読み出した前記第３画像のデータにより規定される当該第３画像を紙媒体に印刷する印刷部とを含むことを特徴とする正本文書複製装置。
【請求項１６】
前記紙媒体に記憶部材を印刷し、当該記憶部材に、前記正本文書の前記記憶部材から読み出した前記許否情報及び前記第２画像を書き込む書込部を更に含むことを特徴とする請求項１４、１５記載の正本文書複製装置。
【請求項１７】
請求項１記載の正本文書の複製を規制する正本文書複製方法であって、
前記記憶部材の有無により、当該正本文書の複製が許可されているか禁止されているかを判断する判断工程と、
前記判断工程が、前記正本文書の複製が許可されていると判断するとき、前記正本文書から読み取った当該第１画像、及び、前記正本文書の前記記憶部材から読み出した前記第２画像のデータにより規定される当該第２画像を紙媒体に印刷し、前記判断工程が、前記正本文書の複製が禁止されていると判断するとき、前記正本文書から読み取った前記第１画像及び前記第２の画像を印刷する印刷工程とを含むことを特徴とする正本文書複製方法。
【請求項１８】
請求項２記載の正本文書の複製を規制する正本文書複製方法であって、
前記記憶部材の有無により、当該正本文書の複製が許可されているか禁止されているかを判断する判断工程と、
前記判断工程が、前記正本文書の複製が許可されていると判断するとき、前記正本文書から読み取った当該第１画像、及び、前記正本文書の前記記憶部材から読み出した前記第２画像のデータにより規定される当該第２画像を紙媒体に印刷し、前記判断工程が、前記正本文書の複製が禁止されていると判断するとき、前記正本文書から読み取った前記第１画像、及び、前記正本文書の前記記憶部材から読み出した前記第３画像のデータにより規定される当該第３画像を紙媒体に印刷する印刷工程とを含むことを特徴とする正本文書複製方法。
【請求項１９】
請求項３記載の正本文書の前記記憶部材に記憶された前記許否情報を参照して、第１の事物による前記正本文書の複製を規制する正本文書複製方法であって、
当該正本文書複製装置による複製に関連する第２の事物が、前記第１の事物に一致するか否かを判断する判断工程と、
前記判断工程で、前記第２の事物と前記第１の事物とが一致すると判断するとき、前記正本文書から読み取った当該第１画像、及び、前記正本文書の前記記憶部材から読み出した前記第２画像のデータにより規定される当該第２画像を紙媒体に印刷し、前記判断工程で、前記第２の事物と前記第１の事物とが一致しないと判断するとき、前記正本文書から読み取った前記第１画像及び前記第２の画像を印刷する印刷工程とを含むことを特徴とする正本文書複製方法。
【請求項２０】
請求項４記載の正本文書の前記記憶部材に記憶された前記許否情報を参照して、第１の事物による前記正本文書の複製を規制する正本文書複製方法であって、
当該正本文書複製装置による複製に関連する第２の事物が、前記第１の事物に一致するか否かを判断する判断工程と、
前記判断工程で、前記第２の事物と前記第１の事物とが一致すると判断するとき、前記正本文書から読み取った当該第１画像、及び、前記正本文書の前記記憶部材から読み出した前記第２画像のデータにより規定される当該第２画像を紙媒体に印刷し、前記判断工程で、前記第２の事物と前記第１の事物とが一致しないと判断するとき、前記正本文書から読み取った前記第１画像、及び、前記正本文書の前記記憶部材から読み出した前記第３画像のデータにより規定される当該第３画像を紙媒体に印刷する印刷工程とを含むことを特徴とする正本文書複製方法。
【請求項２１】
請求項１記載の正本文書の複製を規制する正本文書複製プログラムであって、
前記判断部に、前記記憶部材の有無により、当該正本文書の複製が許可されているか禁止されているかを判断させる判断工程と、
前記判断工程で、前記正本文書の複製が許可されていると判断するとき、前記印刷部に、前記正本文書から読み取った当該第１画像、及び、前記正本文書の前記記憶部材から読み出した前記第２画像のデータにより規定される当該第２画像を紙媒体に印刷させ、前記判断工程で、前記正本文書の複製が禁止されていると判断するとき、前記印刷部に、前記正本文書から読み取った前記第１画像及び前記第２の画像を印刷させる印刷工程とを含むことを特徴とする正本文書複製プログラム。
【請求項２２】
請求項２記載の正本文書の複製を規制する正本文書複製プログラムであって、
前記判断部に、前記記憶部材の有無により、当該正本文書の複製が許可されているか禁止されているかを判断させる判断工程と、
前記判断工程で、前記正本文書の複製が許可されていると判断するとき、前記印刷部に、前記正本文書から読み取った当該第１画像、及び、前記正本文書の前記記憶部材から読み出した前記第２画像のデータにより規定される当該第２画像を紙媒体に印刷させ、前記判断工程で、前記正本文書の複製が禁止されていると判断するとき、前記正本文書から読み取った前記第１画像、及び、前記正本文書の前記記憶部材から読み出した前記第３画像のデータにより規定される当該第３画像を紙媒体に印刷させる印刷工程とを含むことを特徴とする正本文書複製プログラム。
【請求項２３】
請求項３記載の正本文書の前記記憶部材に記憶された前記許否情報を参照して、判断部及び印刷部を有するコンピュータを備えた正本文書複製装置を用いた第１の事物による前記正本文書の複製を規制する正本文書複製プログラムであって、
前記判断部に、当該正本文書複製装置による複製に関連する第２の事物が、前記第１の事物に一致するか否かを判断させる判断工程と、
前記判断工程で、前記第２の事物と前記第１の事物とが一致すると判断するとき、前記印刷部に、前記正本文書から読み取った当該第１画像、及び、前記正本文書の前記記憶部材から読み出した前記第２画像のデータにより規定される当該第２画像を紙媒体に印刷させ、前記判断工程で、前記第２の事物と前記第１の事物とが一致しないと判断するとき、前記印刷部に、前記正本文書から読み取った前記第１画像及び前記第２の画像を印刷させる印刷工程とを含むことを特徴とする正本文書複製プログラム。
【請求項２４】
請求項４記載の正本文書の前記記憶部材に記憶された前記許否情報を参照して、判断部及び印刷部を有するコンピュータを備えた正本文書複製装置を用いた第１の事物による前記正本文書の複製を規制する正本文書複製プログラムであって、
前記判断部に、当該正本文書複製装置による複製に関連する第２の事物が、前記第１の事物に一致するか否かを判断させる判断工程と、
前記判断工程で、前記第２の事物と前記第１の事物とが一致すると判断するとき、前記印刷部に、前記正本文書から読み取った当該第１画像、及び、前記正本文書の前記記憶部材から読み出した前記第２画像のデータにより規定される当該第２画像を紙媒体に印刷させ、前記判断工程で、前記第２の事物と前記第１の事物とが一致しないと判断するとき、前記正本文書から読み取った前記第１画像、及び、前記正本文書の前記記憶部材から読み出した前記第３画像のデータにより規定される当該第３画像を紙媒体に印刷させる印刷工程とを含むことを特徴とする正本文書複製プログラム。
【請求項２５】
請求項２１、２２、２３、２４のいずれか一項に記載の正本文書複製プログラムを記録することを特徴とするコンピュータ読み取り可能な記録媒体。
【発明の詳細な説明】
【技術分野】
【０００１】
本発明は、文字、図形、記号等の画像を含む”正本”である文書（以下、「正本文書」という。）に関し、また、当該正本文書を編集するための正本文書編集装置、当該正本文書を作成する正本文書作成装置、当該正本文書の”複製”である文書（以下、「複製文書」という。）を作成する正本文書複製装置、正本文書複製方法、正本文書複製プログラム、及び当該プログラムが記録された記録媒体に関する。
【背景技術】
【０００２】
従来、正本文書から複製文書が無制限に作成されることを防止すべく、従来の正本文書には、隠し文字（例えば、”複製、複製、複製、．．．”のような文字又は文字列であって、前記正本文書から作成された複製文書が正本文書でない旨を視認可能にするための、前記複製文書に顕在化される文字。）が視認不可能に内在されている。正本文書であるか複製文書であるかは、前記隠し文字が視認可能か否かに基き峻別される。
【０００３】
従来の正本文書には、また、下記の特許文献１に記載のように、ＲＦＩＤ（Radio Frequency ID）等が付与されており、前記正本文書から前記複製文書を作成する行為は、当該ＲＦＩＤに予め記憶されている、複製行為の許否に関する情報（例えば、ユーザ毎に許否を定めている情報）に基き許可され又は禁止される。
【０００４】
【特許文献１】特開２００４−１５２２６０号公報
【発明の開示】
【発明が解決しようとする課題】
【０００５】
しかしながら、上記した従来の正本文書から、上記したような、前記隠し文字が顕在化された複製文書を作成することができても、前記正本文書と同様な構成及び効力を有する正本の文書（以下、「第２の正本文書」という。）を作成することができず、また、悪意の第三者が、上記したような複製の禁止を擦り抜けて、前記正本文書から前記第２の文書を作成してしまうと、当該第２の文書から複製文書を作成する行為を阻止することができないという問題があった。
【課題を解決するための手段】
【０００６】
上記した課題を解決すべく、基本的に、本発明に係る正本文書の複製では、（Ａ）第１画像であって、当該第１画像の複製の前後で内容が視覚的に同一である前記第１画像と、（Ｂ）（Ｂ１）第２画像であって、当該第２画像の複製前後に亘り視認不可能から視認可能に変わることにより前記複製の後に当該複製の存在を示す前記第２画像及び当該第２画像のデータと、又は、（Ｂ２）当該第２画像のデータ及び前記複製の存在を示す第３画像のデータとを含む正本文書における記憶部材を参照して、前記正本文書の複製を規制し、（Ｃ）前記正本文書の複製が許可されているとき、前記第１画像、及び、前記第２画像のデータにより規定される当該第２画像を印刷し、（Ｄ）前記正本文書の複製が禁止されているとき、（Ｄ１）前記第１画像及び前記第２画像、又は、（Ｄ２）前記第１画像及び前記第３画像のデータにより規定される当該第３画像を印刷する。
【０００７】
上記した本発明に係る正本文書の複製によれば、前記記憶部材の有無に基き、前記正本文書の複製が許可又は禁止されているかを判断し、許可されているときには、前記第２画像のデータにより規定される、視認不可能な当該第２画像を印刷し、禁止されているときには、視認可能な前記第２画像、又は前記第３画像のデータにより規定される、視認可能な当該第３画像を印刷することから、当該視認可能か否かを拠所にして、前記複製された文書が、前記正本文書と等価である”第２の正本文書”であるか、前記正本文書と等価でない”複製文書”であるかを知得することが可能となる。
【０００８】
上記した本発明に係る正本文書の複製は、更に、前記第１画像の複製に関連する複数の事物の各々毎に前記第１画像の複製の許可又は禁止を規定する許否情報を参照する。
【０００９】
上記した本発明に係る正本文書の複製によれば、前記許否情報を参照して、事物毎に前記複製が許可されているか否かを判断し、（Ｃ）複製が許可されているときには、前記第１画像及び前記第２画像のデータにより規定される当該第２画像を印刷することにより、前記正本文書と等価である”第２の正本文書”を作成し、他方で、（Ｄ）複製が禁止されているとき、（Ｄ１）前記第１画像及び前記第２画像、又は、（Ｄ２）前記第１画像及び前記第３画像のデータにより規定される前記第３画像を印刷することにより、前記正本文書と等価でない”複製文書”を作成し、加えて、当該”第２の正本文書”では、前記第２画像が視認不可能であることとは対照的に、前記”複製文書”では、前記第２画像が視認可能であることから、当該視認することができる第２画像を通じて、当該文書が、”第２の正本文書”ではなく、”複製文書”であることを知得することが可能となる。
【００１０】
上記した本発明に係る正本文書の複製では、前記記憶部材は、前記第１画像及び前記第２画像の少なくとも一方の位置を規定する位置情報を更に記憶する。
【００１１】
本発明に係る第１の正本文書編集装置は、請求項１記載の正本文書のデータを編集するための正本文書編集装置であって、前記第１画像のデータを編集するための第１画像データ編集部と、前記第２画像のデータを編集するための第２画像データ編集部と、前記第１画像のデータ、及び前記第２画像のデータから、前記正本文書のデータを作成するための正本文書データ作成部とを含む。
【００１２】
本発明に係る第２の正本文書編集装置は、請求項２記載の正本文書のデータを編集するための正本文書編集装置であって、前記第１画像のデータを編集するための第１画像データ編集部と、前記第２画像のデータを編集するための第２画像データ編集部と、前記第３画像のデータを編集するための第３画像データ編集部と、前記第１画像のデータ、前記第２画像のデータ、及び前記第３画像のデータから、前記正本文書のデータを作成するための正本文書データ作成部とを含む。
【００１３】
上記した本発明に係る第１、第２の正本文書編集装置は、前記第１画像の複製に関連する複数の事物の各々毎に前記第１画像の複製の許可又は禁止を規定する許否情報を編集するための許否情報編集部を更に含み、前記正本文書データ作成部は、前記許否情報を用いて前記正本文書のデータを作成する。
【００１４】
本発明に係る第１の正本文書作成装置は、上記した本発明に係る第１の正本文書編集装置により作成された前記正本文書のデータに基き、請求項１記載の正本文書を印刷する正本文書作成装置であって、紙媒体に、前記第１画像のデータにより規定される前記第１画像、及び、前記第２画像のデータにより規定される前記第２画像を印刷する画像印刷部と、前記紙媒体に、記憶部材を印刷する記憶部材印刷部と、前記記憶部材に、前記第２画像のデータを書き込む書込部とを含む。
【００１５】
本発明に係る第２の正本文書作成装置は、上記した本発明に係る第２の正本文書編集装置により作成された前記正本文書のデータに基き、請求項１記載の正本文書を作成する正本文書作成装置であって、紙媒体に、前記第１画像のデータにより規定される前記第１画像を印刷する画像印刷部と、前記紙媒体に、記憶部材を印刷する記憶部材印刷部と、前記記憶部材に、前記第２画像のデータ、及び前記第３画像のデータを書き込む書込部とを含む。
【００１６】
上記した本発明に係る第１、第２の正本文書作成装置では、前記書込部は、前記記憶部材に、更に、前記第１画像の複製に関連する複数の事物の各々毎に前記第１画像の複製の許可又は禁止を規定する許否情報を書き込む。
【００１７】
本発明に係る第１の正本文書複製装置は、上記した本発明に係る正本文書の複製を規制する正本文書複製装置であって、前記記憶部材の有無により、当該正本文書の複製が許可されているか禁止されているかを判断する判断部と、前記判断部が、前記正本文書の複製が許可されていると判断するとき、前記正本文書から読み取った当該第１画像、及び、前記正本文書の前記記憶部材から読み出した前記第２画像のデータにより規定される当該第２画像を紙媒体に印刷し、前記判断部が、前記正本文書の複製が禁止されていると判断するとき、前記正本文書から読み取った前記第１画像及び前記第２の画像を印刷する印刷部とを含む。
【００１８】
本発明に係る第２の正本文書複製装置は、上記した本発明に係る正本文書の複製を規制する正本文書複製装置であって、前記記憶部材の有無により、当該正本文書の複製が許可されているか禁止されているかを判断する判断部と、前記判断部が、前記正本文書の複製が許可されていると判断するとき、前記正本文書から読み取った当該第１画像、及び、前記正本文書の前記記憶部材から読み出した前記第２画像のデータにより規定される当該第２画像を紙媒体に印刷し、前記判断部が、前記正本文書の複製が禁止されていると判断するとき、前記正本文書から読み取った前記第１画像、及び、前記正本文書の前記記憶部材から読み出した前記第３画像のデータにより規定される当該第３画像を紙媒体に印刷する印刷部とを含む。
【００１９】
本発明に係る第３の正本文書複製装置は、上記した本発明に係る正本文書の前記記憶部材に記憶された前記許否情報を参照して、第１の事物による前記正本文書の複製を規制する正本文書複製装置であって、当該正本文書複製装置による複製に関連する第２の事物が、前記第１の事物に一致するか否かを判断する判断部と、前記判断部が、前記第２の事物と前記第１の事物とが一致すると判断するとき、前記正本文書から読み取った当該第１画像、及び、前記正本文書の前記記憶部材から読み出した前記第２画像のデータにより規定される当該第２画像を紙媒体に印刷し、前記判断部が、前記第２の事物と前記第１の事物とが一致しないと判断するとき、前記正本文書から読み取った前記第１画像及び前記第２の画像を印刷する印刷部とを含む。
【００２０】
本発明に係る第４の正本文書複製装置は、上記した本発明に係る正本文書の前記記憶部材に記憶された前記許否情報を参照して、第１の事物による前記正本文書の複製を規制する正本文書複製装置であって、当該正本文書複製装置による複製に関連する第２の事物が、前記第１の事物に一致するか否かを判断する判断部と、前記判断部が、前記第２の事物と前記第１の事物とが一致すると判断するとき、前記正本文書から読み取った当該第１画像、及び、前記正本文書の前記記憶部材から読み出した前記第２画像のデータにより規定される当該第２画像を紙媒体に印刷し、前記判断部が、前記第２の事物と前記第１の事物とが一致しないと判断するとき、前記正本文書から読み取った前記第１画像、及び、前記正本文書の前記記憶部材から読み出した前記第３画像のデータにより規定される当該第３画像を紙媒体に印刷する印刷部とを含む。
【００２１】
上記した本発明に係る第３、第４の正本文書作成装置は、前記紙媒体に記憶部材を印刷し、当該記憶部材に、前記正本文書の前記記憶部材から読み出した前記許否情報及び前記第２画像を書き込む書込部を更に含む。
【００２２】
本発明に係る第１の正本文書複製方法は、上記した正本文書の複製を規制する正本文書複製方法であって、前記記憶部材の有無により、当該正本文書の複製が許可されているか禁止されているかを判断する判断工程と、前記判断工程が、前記正本文書の複製が許可されていると判断するとき、前記正本文書から読み取った当該第１画像、及び、前記正本文書の前記記憶部材から読み出した前記第２画像のデータにより規定される当該第２画像を紙媒体に印刷し、前記判断工程が、前記正本文書の複製が禁止されていると判断するとき、前記正本文書から読み取った前記第１画像及び前記第２の画像を印刷する印刷工程とを含む。
【００２３】
本発明に係る第２の正本文書複製方法は、上記した正本文書の複製を規制する正本文書複製方法であって、前記記憶部材の有無により、当該正本文書の複製が許可されているか禁止されているかを判断する判断工程と、前記判断工程が、前記正本文書の複製が許可されていると判断するとき、前記正本文書から読み取った当該第１画像、及び、前記正本文書の前記記憶部材から読み出した前記第２画像のデータにより規定される当該第２画像を紙媒体に印刷し、前記判断工程が、前記正本文書の複製が禁止されていると判断するとき、前記正本文書から読み取った前記第１画像、及び、前記正本文書の前記記憶部材から読み出した前記第３画像のデータにより規定される当該第３画像を紙媒体に印刷する印刷工程とを含む。
【００２４】
本発明に係る第３の正本文書複製方法は、上記した正本文書の前記記憶部材に記憶された前記許否情報を参照して、第１の事物による前記正本文書の複製を規制する正本文書複製方法であって、当該正本文書複製装置による複製に関連する第２の事物が、前記第１の事物に一致するか否かを判断する判断工程と、前記判断工程で、前記第２の事物と前記第１の事物とが一致すると判断するとき、前記正本文書から読み取った当該第１画像、及び、前記正本文書の前記記憶部材から読み出した前記第２画像のデータにより規定される当該第２画像を紙媒体に印刷し、前記判断工程で、前記第２の事物と前記第１の事物とが一致しないと判断するとき、前記正本文書から読み取った前記第１画像及び前記第２の画像を印刷する印刷工程とを含む。
【００２５】
本発明に係る第４の正本文書複製方法は、上記した正本文書の前記記憶部材に記憶された前記許否情報を参照して、第１の事物による前記正本文書の複製を規制する正本文書複製方法であって、当該正本文書複製装置による複製に関連する第２の事物が、前記第１の事物に一致するか否かを判断する判断工程と、前記判断工程で、前記第２の事物と前記第１の事物とが一致すると判断するとき、前記正本文書から読み取った当該第１画像、及び、前記正本文書の前記記憶部材から読み出した前記第２画像のデータにより規定される当該第２画像を紙媒体に印刷し、前記判断工程で、前記第２の事物と前記第１の事物とが一致しないと判断するとき、前記正本文書から読み取った前記第１画像、及び、前記正本文書の前記記憶部材から読み出した前記第３画像のデータにより規定される当該第３画像を紙媒体に印刷する印刷工程とを含む。
【００２６】
本発明に係る第１の正本文書複製プログラムは、上記した正本文書の複製を規制する正本文書複製プログラムであって、前記判断部に、前記記憶部材の有無により、当該正本文書の複製が許可されているか禁止されているかを判断させる判断工程と、前記判断工程で、前記正本文書の複製が許可されていると判断するとき、前記印刷部に、前記正本文書から読み取った当該第１画像、及び、前記正本文書の前記記憶部材から読み出した前記第２画像のデータにより規定される当該第２画像を紙媒体に印刷させ、前記判断工程で、前記正本文書の複製が禁止されていると判断するとき、前記印刷部に、前記正本文書から読み取った前記第１画像及び前記第２の画像を印刷させる印刷工程とを含む。
【００２７】
本発明に係る第２の正本文書複製プログラムは、上記した正本文書の複製を規制する正本文書複製プログラムであって、前記判断部に、前記記憶部材の有無により、当該正本文書の複製が許可されているか禁止されているかを判断させる判断工程と、前記判断工程で、前記正本文書の複製が許可されていると判断するとき、前記印刷部に、前記正本文書から読み取った当該第１画像、及び、前記正本文書の前記記憶部材から読み出した前記第２画像のデータにより規定される当該第２画像を紙媒体に印刷させ、前記判断工程で、前記正本文書の複製が禁止されていると判断するとき、前記正本文書から読み取った前記第１画像、及び、前記正本文書の前記記憶部材から読み出した前記第３画像のデータにより規定される当該第３画像を紙媒体に印刷させる印刷工程とを含む。
【００２８】
本発明に係る第３の正本文書複製プログラムは、上記した正本文書の前記記憶部材に記憶された前記許否情報を参照して、判断部及び印刷部を有するコンピュータを備えた正本文書複製装置を用いた第１の事物による前記正本文書の複製を規制する正本文書複製プログラムであって、前記判断部に、当該正本文書複製装置による複製に関連する第２の事物が、前記第１の事物に一致するか否かを判断させる判断工程と、前記判断工程で、前記第２の事物と前記第１の事物とが一致すると判断するとき、前記印刷部に、前記正本文書から読み取った当該第１画像、及び、前記正本文書の前記記憶部材から読み出した前記第２画像のデータにより規定される当該第２画像を紙媒体に印刷させ、前記判断工程で、前記第２の事物と前記第１の事物とが一致しないと判断するとき、前記印刷部に、前記正本文書から読み取った前記第１画像及び前記第２の画像を印刷させる印刷工程とを含む。
【００２９】
本発明に係る第４の正本文書複製プログラムは、上記した正本文書の前記記憶部材に記憶された前記許否情報を参照して、判断部及び印刷部を有するコンピュータを備えた正本文書複製装置を用いた第１の事物による前記正本文書の複製を規制する正本文書複製プログラムであって、前記判断部に、当該正本文書複製装置による複製に関連する第２の事物が、前記第１の事物に一致するか否かを判断させる判断工程と、前記判断工程で、前記第２の事物と前記第１の事物とが一致すると判断するとき、前記印刷部に、前記正本文書から読み取った当該第１画像、及び、前記正本文書の前記記憶部材から読み出した前記第２画像のデータにより規定される当該第２画像を紙媒体に印刷させ、前記判断工程で、前記第２の事物と前記第１の事物とが一致しないと判断するとき、前記正本文書から読み取った前記第１画像、及び、前記正本文書の前記記憶部材から読み出した前記第３画像のデータにより規定される当該第３画像を紙媒体に印刷させる印刷工程とを含む。
【００３０】
本発明に係るコンピュータ読み取り可能な記録媒体は、上記した正本文書複製プログラムを記録する。
【発明を実施するための最良の形態】
【００３１】
本発明に係る正本文書、正本文書編集装置、正本文書作成装置、及び正本文書複製装置の実施例について図面を参照して説明する。
【実施例１】
【００３２】
〈構成〉
図１は、実施例１の正本文書の構成を示す。実施例１の正本文書ＤＯＣは、例えば、”関係者以外閲覧禁止”及び”社外秘”のような閲覧及び複製等をできる部門、社員等が制限されている秘密文書であり、図１（ａ）に示されるように、紙媒体ＰＡＰ上に、従来知られた光学的な複写機（図示せず）による複写（複製）の前後でその内容が視覚的に何ら変化しない第１画像１０と、前記複写機による複写の前後に亘り、その内容が視覚的に変化することにより、即ち、図１（ａ）に図示の視認することができない状態（ドット）から、図１（ｂ）に図示の視認することができる状態（実線）に変わり、当該視認可能な状態により前記複写の事実が存在する旨を示すための第２画像２０と、従来知られたように、電磁気的に書き込み及び読み出しができる記憶部材であるＲＦＩＤ３０とを有する。
【００３３】
図１に示されるように、第１画像１０は、例えば、タイトル「新型プリンタの開発プロジェクト」、記号「丸秘（秘密文書である旨）」、及びグラフ「プリンタのメーカ別売上推移」からなり、紙媒体ＰＡＰにおける、座標Ａ１、Ａ２、Ａ３、Ａ４により特定される印刷位置に印刷されており、他方で、第２画像２０は、文「この文書は複製物である」からなり、紙媒体ＰＡＰにおける、座標Ｂ１、Ｂ２、Ｂ３、Ｂ４により特定される印刷位置に印刷されている。
【００３４】
図２は、ＲＦＩＤの構成を示す。ＲＦＩＤ３０は、図２に示されるように、許否情報４０と、第２画像のデータ５０とを記憶している。許否情報４０は、正本文書ＤＯＣの複製に係る事物、具体的には、正本文書ＤＯＣを複製する主体の属性、例えば、社内での部署（開発部、企画部、営業部、総務部等）のような、複製の主体の属性毎に前記複製の許可又は禁止を規定する。第２画像のデータ５０は、図１に図示の第２画像２０である文「この文書は複製物である」をイメージデータとして記憶している。
【００３５】
正本文書ＤＯＣは、そのデータが、実施例２の正本文書編集装置１００により編集され、正本文書ＤＯＣ自体が、実施例３の正本文書作成装置２００により作成され、第２の正本文書及び複製文書が、実施例４の正本文書複製装置３００により作成される。
【００３６】
〈効果〉
実施例１の正本文書ＤＯＣでは、ＲＦＩＤ３０に、上述したような許否情報４０及び第２画像のデータ５０が記憶されていることから、後述されるように、実施例４の正本文書複製装置３００が、ユーザにより入力等される属性を示す情報（以下、「属性情報」という。）と、許否情報４０とを比較することにより、当該ユーザが複製を許可されているか否かを判断し、許可されていると判断するときには、正本文書ＤＯＣと実質的に等価である旨、換言すれば、”第２の正本文書である”旨を表す視認不可能な第２画像２０（図１（ａ））を印刷し、禁止されていると判断するときには、正本文書ＤＯＣと実質的に等価でない旨、換言すれば、”第２の正本でない”旨を示す視認可能な第２画像２０（図１（ｂ））を印刷することにより、当該作成された文書の意義、価値等を区別することが可能となる。
【００３７】
許否情報４０として、上記したような社内での部署に代えて、社員番号、実施例４の正本文書複製装置３００自身のＩＤ番号及び設置場所（例えば、建物や部署）、複製が許可又は禁止されている時間帯（例えば、就業時間内外）を用いることによっても、上記したと同様な効果を得ることができる。
【００３８】
第２画像のデータ５０として、上記したようなイメージデータを直接記憶し又は直接指定することに代えて、見出し（インデックス）と当該見出しに対応する内容（コンテンツ）との対応関係を示すテーブルを参照することを前提とする当該見出しのような文字列、及びネットワーク上でのデータの所在地を示すＵＲＬのようなアドレスを用いて、前記内容やデータを直接記憶することなく間接的に指定することによっても、上記したと同様な効果を得ることが可能である。
【００３９】
《変形例》
図３は、実施例１の正本文書の変形例を示し、図４は、ＲＦＩＤの変形例を示す。変形例の正本文書ＤＯＣ’は、図３に示されるように、図１に図示の正本文書ＤＯＣと同様に、第１画像１０及びＲＦＩＤ３０’を有し、他方で、正本文書ＤＯＣと異なり、第２画像２０を有しない。また、変形例の正本文書ＤＯＣ’中のＲＦＩＤ３０’は、ＲＦＩＤ３０と同様に、許否情報４０及び第２画像のデータ５０を記憶しており、他方で、ＲＦＩＤ３０と異なり、第２画像２０の文と同様な文「この文書は複製物である」であって、視認可能状態になった第２画像２０（図１（ｂ））と同様に複製の存在を示す第３画像６０を規定する第３画像のデータ７０を、テキストデータとして記憶している。
【００４０】
変形例の正本文書ＤＯＣ’でも、ＲＦＩＤ３０に、許否情報４０、第２画像のデータ５０、及び第３画像のデータ７０が記憶されていることから、正本文書ＤＯＣと同様に、後述される実施例４の正本文書複製装置３００が、属性情報及び許否情報４０に基き、ユーザが複製を許可されている者であると判断するときには、ＲＦＩＤ３０’に記憶されている第２画像のデータ５０を用いて、”第２の正本文書である”旨を表す視認不可能な第２画像２０（図１（ａ））を印刷し、他方で、ユーザが複製を禁止されている者と判断するときには、ＲＦＩＤ３０’に記憶されている第３画像のデータ５０を用いて、”第２の正本文書でない”旨を表す、図１（ｂ）に図示された視認可能な第２画像２０と同様な第３画像６０「この文書は複製物である」を印刷することにより、当該作成された文書が、第２の正本文書であるか否かを区別することが可能となる。
【００４１】
《他の変形例》
図５は、ＲＦＩＤに記憶される画像のデータの他の内容を示す。図２に図示のＲＦＩＤ３０、及び図４に図示のＲＦＩＤ３０’は、図２、図４に図示の第２画像のデータ５０、第３画像のデータ７０に代えて又は加えて、図５（ａ）に示されるように、第１画像１０及び第１画像１０の印刷位置を規定する第１画像のデータ８０を記憶し、図５（ｂ）に示されるように、第２画像２０及び第２画像２０の印刷位置を規定する第２画像のデータ５０を記憶し、図５（ｃ）に示されるように、第３画像６０及び第３画像６０の印刷位置を規定する第３画像のデータ７０を記憶することによっても、上記したと同様な効果を得ることができる。
【実施例２】
【００４２】
〈構成〉
図６は、実施例２の正本文書編集装置の構成を示す。実施例２の正本文書編集装置１００（以下、「装置１００」と略称する。）は、図６に示されるように、編集ユニット１１０と、作成ユニット１２０と、記憶ユニット１３０と、出力ユニット１４０とを含む。さらに、編集ユニット１１０は、第１画像データ編集部１１１と、第２画像データ編集部１１２と、許否情報編集部１１３とを有し、各部は、例えば、キーボード及びマウス（主に入力）、並びにＣＰＵ（主に処理）等からなる。作成ユニット１２０は、正本文書データ作成部１２１を有し、当該部は、例えば、ＣＰＵからなる。記憶ユニット１３０は、記憶部１３１を有し、当該部は、例えば、ＲＯＭ及びＲＡＭからなる。出力ユニット１４０は、出力部１４１を有し、当該部は、例えば、ＣＲＴ(Cathode Ray Tube)、液晶モニタ、ネットワークインターフェイス等からなる。
【００４３】
第１画像データ編集部１１１は、ユーザが第１画像１０（図１（ａ））を編集するために用いられる。
【００４４】
第２画像データ編集部１１２は、記憶部１３１に記憶されている文「この文書は複製物である」、文「この文書は正本文書でない」、単語「複製（複製物である旨を示す）」、単語「ＣＯＰＹ、ＣＯＰＹ、ＣＯＰＹ、．．．（複製物である旨を示す）」である複数の第２画像２０ａ、２０ｂ、２０ｃ、．．．のうち、ユーザが所望するものを第２画像２０（図１（ｂ））として選択するために用いられる。
【００４５】
許否情報編集部１１３は、ユーザが許否情報４０（図２）の内容を編集するために用いられる。
【００４６】
正本文書データ作成部１２１は、第１画像データ編集部１１１を用いて編集された第１画像１０、第２画像データ編集部１１２を用いて選択された第２画像２０、及び許否情報編集部１１３を用いて編集された許否情報４０からなる、正本文書ＤＯＣのデータである正本文書のデータＤＯＣ＿ＤＴを作成する。
【００４７】
記憶部１３１は、上述したように、複数の第２画像２０ａ、２０ｂ、２０ｃ、．．．を記憶しており、加えて、装置１００の動作、換言すれば、編集ユニット１１０、作成ユニット１２０、及び出力ユニット１４０の動作を規定するプログラム１００Ｐを記憶している。
【００４８】
出力部１４１は、ユーザによる、第１画像データ編集部１１１、第２画像データ編集部１１２、許否情報編集部１１３を用いた編集作業の状況を表示し、また、作成された正本文書のデータＤＯＣ＿ＤＴを、正本文書作成装置２００へ送出する。
【００４９】
図７は、コンピュータ装置の構成を示す。図６に図示の装置１００の編集ユニット１１０は、図７に図示の一般的なコンピュータ装置１０００の入力インターフェイス１１００、ＣＰＵ１２００から構成可能であり、作成ユニット１２０は、ＣＰＵ１２００から構成可能であり、記憶ユニット１３０は、ＲＯＭ及びＲＡＭ１３００から構成可能であり（フレキシブル・ディスク、ＣＤ−ＲＯＭ等から構成されることも可能。）、出力ユニット１４０は、出力インターフェイス１４００から構成可能である。
【００５０】
〈動作〉
図８は、実施例２の正本文書編集装置の動作を示すフローチャートである。以下、実施例２の正本文書編集装置の動作を図８のフローチャートに沿って説明する。
【００５１】
ステップＳ１０：ユーザは、第１画像データ編集部１１１を使って、かつ出力部１４１に編集の作業状況を表示しながら、図１（ａ）に図示の第１画像１０のような、所望する任意の画像を編集する。
【００５２】
ステップＳ１１：ユーザは、第１画像データ編集部１１１を用いて、紙媒体ＰＡＰ（図１（ａ））上における第１画像１０の印刷位置（Ａ１、Ａ２、Ａ３、Ａ４）を指定する。
【００５３】
ステップＳ１２：ユーザは、第２画像データ編集部１１２を使用して、記憶部１３１に記憶されている第２画像２０ａ、２０ｂ、２０ｃ、．．．のうち、所望する第２画像２０を選択する。
【００５４】
ステップＳ１３：ユーザは、許否情報編集部１１３を使って、許否情報４０（図２）を編集する。
【００５５】
ステップＳ１４：正本文書データ作成部１２１は、第１画像データ編集部１１１により編集され又は指定された第１画像１０及び第１画像１０の印刷位置からなる第１画像のデータ８０と、第２画像データ編集部１１２により選択された第２画像２０からなる第２画像のデータ５０と、許否情報編集部１１３により編集された許否情報４０からなる正本文書のデータＤＯＣ＿ＤＴを印刷ジョブとして作成する。
【００５６】
ステップＳ１５：出力部１４１は、前記作成された印刷ジョブである正本文書のデータＤＯＣ＿ＤＴを実施例３の正本文書作成装置２００（後述）に出力する。
【００５７】
〈効果〉
上述したように、実施例２の正本文書編集装置１００では、第１画像データ編集部１１１により第１画像１０が編集され、また、第１画像１０の印刷位置が指定され、第２画像データ編集部１１２により第２画像２０が選択され、許否情報編集部１１３により許否情報４０が編集され、更に、正本文書データ作成部１２１により、第１画像のデータ８０と、第２画像のデータ５０と、許否情報４０とからなる正本文書のデータＤＯＣ＿ＤＴが印刷ジョブとして作成されることから、実施例３の正本文書作成装置２００が、正本文書のデータＤＯＣ＿ＤＴに基き、正本文書ＤＯＣ（図１（ａ））を作成することが可能となる。
【００５８】
《変形例》
実施例２の正本文書編集装置１００は、上記した図１（ａ）に図示の正本文書ＤＯＣを作成するための正本文書のデータＤＯＣ＿ＤＴを作成することに代えて、上記したと同様な編集及び指定に加えて、第１画像データ編集部１１１と同様な機能を有する第３画像データ編集部（図示せず）により、第３画像６０（図４）の編集を行い、また、上記したと概ね同様に、正本文書データ作成部１２１が、第１画像のデータ８０、第２画像のデータ５０、第３画像のデータ７０（図４）、及び許否情報４０をまとめることにより、正本文書ＤＯＣ’（図３）のデータを作成することが可能となる。
【実施例３】
【００５９】
〈構成〉
図９は、実施例３の正本文書作成装置の構成を示す。実施例３の正本文書作成装置２００（以下、「装置２００」と略称する。）は、図９に示されるように、入力ユニット２１０と、作成ユニット２２０と、記憶ユニット２３０とを含む。入力ユニット２１０は、入力部２１１を有し、当該部は、例えば、キーボード及びマウス等からなる（図７に図示のコンピュータ装置１０００の入力インターフェイス１１００に相当）。作成ユニット２２０は、読出部２２１、画像印刷部２２２、記憶部材印刷部２２３、及び書込部２２４を有し、当該各部は、ＣＰＵ等からなる（図７のコンピュータ装置１０００のＣＰＵ１２００に相当）。記憶ユニット２３０は、記憶部２３１を有し、当該部は、ＲＯＭ及びＲＡＭ等からなる（図７のコンピュータ装置１０００のＲＯＭ及びＲＡＭ１３００に相当）。
【００６０】
入力部２１１は、実施例２の正本文書編集装置１００から、印刷ジョブである、正本文書のデータＤＯＣ＿ＤＴ（図６）を受け付ける。
【００６１】
読出部２２１は、正本文書のデータＤＯＣ＿ＤＴから、第１画像のデータ８０、第２画像のデータ５０、及び許否情報４０を読み出す。
【００６２】
画像印刷部２２２は、第１画像のデータ８０により規定される第１画像１０を、紙媒体ＰＡＰ上における、第１画像のデータ８０により規定される印刷位置（Ａ１、Ａ２、Ａ３、Ａ４）に印刷し、また、第２画像のデータ５０により規定される第２画像２０を、紙媒体ＰＡＰ上における、第２画像のデータ５０により規定される印刷位置（Ｂ１、Ｂ２、Ｂ３、Ｂ４）に印刷する。
【００６３】
記憶部材印刷部２２３は、紙媒体ＰＡＰ上にＲＦＩＤ３０を印刷する。
【００６４】
書込部２２４は、ＲＦＩＤ３０に、前記許否情報４０を書き込む。
【００６５】
記憶部２３１は、装置２００の動作を規定するプログラム２００Ｐを記憶している。
【００６６】
〈動作〉
図１０は、実施例３の正本文書作成装置の動作を示すフローチャートである。以下、実施例３の正本文書作成装置の動作について図１０のフローチャートに沿って説明する。
【００６７】
ステップＳ２０：入力部２１１は、実施例２の正本文書編集装置１００から、印刷ジョブとして、正本文書編集装置１００により作成された正本文書のデータＤＯＣ＿ＤＴを受け取る。
【００６８】
ステップＳ２１：読出部２２１は、正本文書のデータＤＯＣ＿ＤＴから第１画像のデータ８０を読み出す。
【００６９】
ステップＳ２２：読出部２２１は、正本文書のデータＤＯＣ＿ＤＴから第２画像のデータ５０を読み出す。
【００７０】
ステップＳ２３：読出部２２１は、正本文書のデータＤＯＣ＿ＤＴから許否情報４０を読み出す。
【００７１】
ステップＳ２４：画像印刷部２２２は、第１画像のデータ８０により規定される第１画像１０（図１（ａ））を、第１画像のデータ８０により規定される、白紙の紙媒体ＰＡＰ上の印刷位置（Ａ１、Ａ２、Ａ３、Ａ４）に印刷する。
【００７２】
ステップＳ２５：画像印刷部２２２は、第２画像のデータ５０により規定される第２画像２０（図１（ｂ）を、第２画像のデータ５０により規定される、紙媒体ＰＡＰ上の印刷位置（Ｂ１、Ｂ２、Ｂ３、Ｂ４）に印刷する。
【００７３】
ステップＳ２６：記憶部材印刷部２２３は、ＲＦＩＤ３０を紙媒体ＰＡＰに印刷する。
【００７４】
ステップＳ２７：書込部２２４は、ＲＦＩＤ３０に許否情報４０を書き込む。これにより、図１（ａ）に図示の正本文書ＤＯＣが完成する。
【００７５】
〈効果〉
上述したように、実施例３の正本文書作成装置２００では、読出部２２１が、実施例２の正本文書編集装置１００により編集された、印刷ジョブである正本文書のデータＤＯＣ＿ＤＴから、第１画像のデータ８０、第２画像のデータ５０、及び許否情報４０を読み出し、画像印刷部２２２が、紙媒体ＰＡＰ上に、第１画像１０及び第２画像２０を印刷し、記憶部材印刷部２２３が、紙媒体ＰＡＰ上に、ＲＦＩＤ３０を印刷し、書込部２２４が、ＲＦＩＤ３０に許否情報４０を書き込むことから、図１（ａ）に図示の正本文書ＤＯＣを作成することが可能となる。
【００７６】
《変形例》
実施例３の正本文書作成装置２００では、図３に図示の正本文書ＤＯＣ’については、画像印刷部２２２が、第１画像１０のみを紙媒体ＰＡＰに印刷し、記憶部材印刷部２２３が、ＲＦＩＤ３０’を紙媒体ＰＡＰに印刷し、書込部２２４が、許否情報４０、第２画像のデータ５０、及び第３画像のデータ７０をＲＦＩＤ３０’に書き込むことにより、正本文書ＤＯＣ’を作成することが可能となる。
【実施例４】
【００７７】
〈構成〉
図１１は、本発明に係る実施例４の正本文書複製装置の構成を示す。実施例４の正本文書複製装置３００（以下、「装置３００」と略称する。）は、図１１に示されるように、入力ユニット３１０と、読取・読出ユニット３２０と、作成ユニット３３０と、記憶ユニット３４０とを含む。
【００７８】
入力ユニット３１０は、入力部３１１を有し、当該部は、例えば、キーボード、ボタン、マウス、カードリーダ等からなり、図７に図示のコンピュータ装置１０００の入力インターフェイス１１００に相当する。
【００７９】
読取・読出ユニット３２０は、読取部３２１、読出部３２２を有し、例えば、光学的なスキャナ及び電磁的なリーダからなり、上記のコンピュータ装置１０００の入力インターフェイス１１００に相当する。
【００８０】
作成ユニット３３０は、判断部３３１、印刷部３３２を有し、例えば、ＣＰＵからなり、上記のコンピュータ装置１０００のＣＰＵ１２００に相当する。
【００８１】
記憶ユニット３４０は、記憶部３４１を有し、例えば、ＲＯＭ及びＲＡＭからなり、上記のコンピュータ装置１０００のＲＯＭ及びＲＡＭ１３００に相当する。
【００８２】
入力部３１１は、実施例３の正本文書作成装置２００から、ユーザが、当該ユーザの属性情報を入力するために用いられる。
【００８３】
読取部３２１は、正本文書ＤＯＣから第１画像１０（図１（ａ））、第２画像２０（図１（ａ））を読み取る。
【００８４】
読出部３２２は、正本文書ＤＯＣのＲＦＩＤ３０から第２画像のデータ５０（図２）、許否情報４０を読み出す。
【００８５】
判断部３３１は、入力部３１１から入力されたユーザの属性情報と、ＲＦＩＤ３０から読み出された許否情報４０とを比較することにより、当該ユーザが、複製を許可されている者であるか禁止されている者であるかを判断する。
【００８６】
印刷部３３２は、判断部３３１が、前記ユーザが複製を許可されていると判断するときには、白紙の紙媒体ＰＡＰに、読取部３２１により読み取られた第１画像１０、及び、読出部３２２により読み出された第２画像のデータ５０により規定される第２画像２０を印刷し、他方で、判断部３３１が、前記ユーザが複製を許可されていないと判断するときには、白紙の紙媒体ＰＡＰに、読取部３２１により読み取られた第１画像１０及び第２画像２０を印刷する。
【００８７】
記憶部３４１は、装置３００の動作を規定するプログラム３００Ｐを記憶している。
【００８８】
〈動作〉
図１２は、実施例４の正本文書複製装置の動作を示すフローチャートであり、図１３は、正本文書、作成される文書を示す図である。以下、実施例４の正本文書複製装置の動作について、図１２、図１３を参照して説明する。
【００８９】
ステップＳ３０：装置３００により、図１（ａ）に図示の正本文書ＤＯＣと同一である、図１３（ａ）に図示の正本文書ＤＯＣを複製しようとするユーザは、入力部３１１を使って、当該ユーザの属性情報（所属する部署、氏名、社員番号等）を入力する。
【００９０】
ステップＳ３１：判断部３３１は、ユーザにより入力された属性情報と、ＲＦＩＤ３０に記憶されている許否情報（図２）とを比較することにより、当該ユーザが複製を許可されている者であるか禁止されている者であるかを判断する。
【００９１】
ステップＳ３２：判断部３３１が、前記ユーザが複製を許可されている者であると判断するとき、読取部３２１は、正本文書ＤＯＣから、第１画像１０を読み取り、読出部３２２は、正本文書ＤＯＣのＲＦＩＤ３０から第２画像のデータ５０を読み出す。
【００９２】
ステップＳ３３：印刷部３３２は、前記読み取った第１画像１０、及び前記第２画像のデータ５０により規定される第２画像２０を白紙の紙媒体ＰＡＰに印刷する。これにより、図１（ａ）に図示の正本文書ＤＯＣと概ね同一であり、ＲＦＩＤ３０の有無のみ異なる、図１３（ｂ）に図示のような、実質的に”第２の正本文書である”と認められる複製文書ＣＰＹ＿Ｔが完成する。
【００９３】
ステップＳ３４：判断部３３１が、前記ユーザが複製を禁止されている者であると判断するとき、読取部３２１は、正本文書ＤＯＣから、第１画像１０及び第２画像２０を読み取る。
【００９４】
ステップＳ３５：印刷部３３２は、前記読み取った第１画像１０及び第２画像２０を白紙の紙媒体ＰＡＰに印刷する。これにより、図１（ｂ）に図示された内容と同一である、図１３（ｃ）に図示の”第２の正本文書でない”複製文書ＣＰＹ＿Ｆが完成する。ここで、第２画像２０は、読取部３２１による読み取り及び印刷部３３２による印刷を経ることから、即ち、複製を経ることから、視認不可能な状態から視認可能な状態に変わり、当該視認可能な状態である第２画像２０により、図１３（ｃ）に図示の当該文書ＣＰＹ＿Ｆが、図１３（ｂ）に図示の複製文書ＣＰＹ＿Ｔのような、複製が許可されているユーザによる”正当な複製”を経た”第２の正本文書である”ことに該当せず、複製が禁止されているユーザによる”不当な複製”を経た”第２の正本文書でない”ことに該当することが明らかになる。
【００９５】
上述したように、実施例４の正本文書複製装置３００では、判断部３３１が、ユーザにより入力された属性情報とＲＦＩＤ３０に記憶されている許否情報４０との比較により、ユーザが正本文書ＤＯＣの複製を許可されているか禁止されているかを判断し、複製を許可されている者であると判断するときには、読取部３２１が読み取った第１画像１０と、読出部３２２が読み出した第２画像のデータ５０により規定される第２画像２０とを印刷することから、これにより、第２画像２０が視認不可能である、図１３（ｂ）に図示の複製文書ＣＰＹ＿Ｔを作成することができ、他方で、複製を禁止されている者であると判断するときには、読取部３２１が読み取った第１画像１０と第２画像２０とをそのまま印刷することから、第２画像２０が視認可能であり不当な複製の事実を認識可能にする、図１３（ｃ）に図示の複製文書ＣＰＹ＿Ｆを作成することが可能となる。
【００９６】
なお、”第２の正当文書である”複製文書ＣＰＹ＿Ｔは、当該複製文書ＣＰＹ＿Ｔが更に不正に複製されると、第２画像２０が視認不可能な状態から視認可能な状態に変わることから、視認可能になった第２画像２０により、前記不正な複製の事実が存在する旨を知得することが可能となる。
【００９７】
《変形例》
実施例４の正本文書複製装置３００では、図３に図示の正本文書ＤＯＣ’及び図４に図示のＲＦＩＤ３０’については、判断部３３１が、前記ユーザが複製を許可されていると判断するときには、上記したと同様な動作を行い、他方で、前記ユーザが複製を禁止されていると判断するときには、印刷部３３２が、読取部３２１により読み取られた第１画像１０、及び、ＲＦＩＤ３０’に記憶されている第３画像のデータ７０により規定される第３画像６０を印刷することにより、上記したと同様な効果を得ることが可能となる。
【００９８】
《他の変形例》
実施例４の正本文書複製装置３００は、判断部３３１が、前記ユーザが複製を許可されていると判断するときに、印刷部３３２が、上記動作に加えて、紙媒体ＰＡＰに、ＲＦＩＤ３０を印刷し、更に、読出部３２２が、正本文書ＤＯＣのＲＦＩＤ３０から許否情報４０を読み出し、書込部（図示せず）が、新規に作成すべき複製文書ＣＰＹ＿Ｔ中のＲＦＩＤ３０に許否情報４０を書き込むことにより、図１３（ｂ）の複製文書ＣＰＹ＿Ｔの作成に代えて、図１（ａ）、図１３（ａ）に図示の正本文書ＤＯＣを作成することが可能となる。
【図面の簡単な説明】
【００９９】
【図１】実施例１の正本文書の構成を示す図。
【図２】実施例１のＲＦＩＤの構成を示す図。
【図３】実施例１の正本文書の変形例を示す図。
【図４】実施例１のＲＦＩＤの変形例を示す図。
【図５】実施例１のＲＦＩＤの他の変形例を示す図。
【図６】実施例２の正本文書編集装置の構成を示す図。
【図７】コンピュータ装置の構成を示す図。
【図８】実施例２の正本文書編集装置の動作を示すフローチャート。
【図９】実施例３の正本文書作成装置の構成を示す図。
【図１０】実施例３の正本文書作成装置の動作を示すフローチャート。
【図１１】実施例４の正本文書複製装置の構成を示す図。
【図１２】実施例４の正本文書複製装置の動作を示すフローチャート。
【図１３】実施例４の正本文書、作成される文書を示す図。
【符号の説明】
【０１００】
ＤＯＣ  正本文書    １０  第１画像    ２０  第２画像    ３０  ＲＦＩＤ    １００  正本文書編集装置    ２００  正本文書作成装置    ３００  正本文書複製装置。
【図１】
2006165617.tif 000003
【図２】
2006165617.tif 000004
【図３】
2006165617.tif 000005
【図４】
2006165617.tif 000006
【図５】
2006165617.tif 000007
【図６】
2006165617.tif 000008
【図７】
2006165617.tif 000009
【図８】
2006165617.tif 000010
【図９】
2006165617.tif 000011
【図１０】
2006165617.tif 000012
【図１１】
2006165617.tif 000013
【図１２】
2006165617.tif 000014
【図１３】
2006165617.tif 000015